(57)【要約】【課題】立て掛けた状態ならびに吊持した状態で容易に操作することができるコンパクトなタブレット型コンピュータ用デスクスタンドの提供を図る。【解決手段】タブレット型コンピュータ１００の画面側を掛止する掛止ベルト２０と、枢軸部３２を介してＸ字状に開脚するスタンドプレート３０と、さらに枢軸部３２の軸止部３６がスライド溝４５に挿入して上下にスライドするスライド機能４１と、デスクスタンド全体が後方に傾斜する蝶番継ぎ手４４を有する片折れ機能４２と、Ｙ字状開脚プレート４６が両側に開脚する開脚機能４３を有するスタンド補助プレート４０と、で構成される手段を採る。【選択図】図１
2014021961.tif 000002
【特許請求の範囲】
【請求項１】
タブレット型コンピュータの画面側を掛止する掛止ベルトと、
Ｘ字状に開脚するスタンドプレートと、
スライド機能と片折れ機能と開脚機能を有するスタンド補助プレートと、
で構成されるタブレット型コンピュータ用デスクスタンドであって、
前記掛止ベルトは、
合成樹脂製の平板透明素材で形成され、該両端には平面ファスナーが貼付されて成り、
前記スタンドプレートは、
枢軸部を介してＸ字状に開脚すると共に、該Ｘ字状に交差する２枚のＸ字状開脚プレートの何れか一方の上端と下端に前記掛止ベルトの平面ファスナーに係止される平面ファスナーを貼付し、
前記枢軸部には前記スタンド補助プレートのスライド溝に挿入して係止する軸止部を設けて成り、
前記スタンド補助プレートは、
中央より上方には前記スタンドプレートの枢軸部がスライド溝に挿入して上下にスライドするスライド機能を設け、
下方にはデスクスタンド全体が後方に傾斜する蝶番継ぎ手を有する片折れ機能を設け、
下端にはＹ字状開脚プレートが両側に開脚する開脚機能を設け、
前記タブレット型コンピュータを立て掛けた状態で使用することができることを特徴とするタブレット型コンピュータ用デスクスタンド。
【請求項２】
Ｘ字状に開脚する２枚の前記Ｘ字状開脚プレートの上端部に係止フック部を設け、
該係止フック部に首掛け用の吊持ストラップを連結すると共に、
Ｘ字状に開脚する２枚の前記Ｘ字状開脚プレートの下端部に係止フック部を設け、
該係止フック部に腰廻り用の支持ベルトを連結し、
前記タブレット型コンピュータを吊持した状態で操作することができることを特徴とする請求項１記載のタブレット型コンピュータ用デスクスタンド。
【発明の詳細な説明】
【技術分野】
【０００１】  本発明は、立て掛けた状態ならびに吊持した状態で容易に操作することができるコンパクトなタブレット型コンピュータ用デスクスタンドに関する。
【背景技術】
【０００２】  現在、飛躍的に普及しているタブレット型コンピュータは、主にＰＣ／ＡＴ互換機としてやペンタブレットなどの板状ポインティングデバイスとしてビジネス、趣味、旅行などの情報端末機器として通話やメール通信の他にＰＤＡなどのパソコン機能が付いたスマートフォンとともに広く使われてくるようになってきている。【０００３】  また、そのタブレット型コンピュータの多くは、タッチパネル方式を採用しているため、片方の手でタブレット型コンピュータを保持し、もう片方の手でタッチパネルを操作することから、通信ならびに操作時は両方の手を使うことが必然となり、その結果ハンズフリーの操作が不可能となることによって、操作と同時に両手を使った作業ができないことから、ハンズフリー操作を可能にする多種多様なタブレット型コンピュータの保持具の提供がなされている。【０００４】  例えば、タブレットコンピュータのハンドヘルド装置において、保持部品であって、少なくとも二つの爪部を利用してタブレットコンピュータの周縁を挟持し、且つ該保持部品内に収容部が設けられた、上記保持部品と、回転部であって、該保持部品の収容部中に設置され、該収容部中に時計回り及び逆時計回りの方向に回転可能である、上記回転部と、二つの可動サポートフレームであって、複数の固定部品により該回転部上に設置され、該二つの可動サポートフレームは該回転部上で垂直及び水平方向の揺動が可能である、上記二つの可動サポートフレームと、を包含したことを特徴とする「タブレットコンピュータのハンドヘルド装置」（特許文献１）が提案されている。【０００５】  しかしながら、かかる「タブレットコンピュータのハンドヘルド装置」の提案は、タブレットコンピュータの背面に装着された保持部品を手指で狭持してタブレットコンピュータ自体を把持する構造であるため、使用に当たっては常にタブレットコンピュータの自重が手指にかかる状態で使用することになり、使用者の手指の疲労負担を招くと同時に、室内における使用環境においては適応しないものであった。【０００６】  また、側面の一部を開放した平面視略三角形の保持体を、該開放部分を対向させて一対設け、該保持体間に適宜支持部材を介して引張ベルトを張設するとともに、該引張ベルト下面に保持板を設けたことを特徴とする「タブレット型コンピュータ用保持具」（特許文献２）が提案されている。【０００７】  しかしながら、かかる「タブレット型コンピュータ用保持具」の提案は、タブレット型コンピュータの背面に保持板を設けた引張ベルトを張設し、該タブレット型コンピュータと引張ベルトの間に手を差し込んでタブレット型コンピュータを保持する構造であるため使用に当たっては常にタブレットコンピュータの自重が手にかかる状態で使用することになり、上記提案と同様に使用者の疲労負担を招くと同時に、室内における使用環境においては適応しないものであった。【０００８】  また、底板、２つのサイドパネル及び２つの支持板を備える支持フレーム構造であって、前記２つのサイドパネルは、前記底板の左右側部に配置され、前記２つの支持板は、前記底板の両面にそれぞれ配置され、一方の前記支持板の自由端が他方の前記支持板に係合されることを特徴とする���支持フレーム構造」（特許文献３）が提案されている。【０００９】  しかしながら、かかる「支持フレーム構造」の提案は、タブレットコンピュータの背面に装着される底板とサイドパネルと支持板で構成される支持フレームでタブレットコンピュータを支持するフレーム構造であることから、室内においては２つの支持板によってタブレットコンピュータを立て掛けて使用することができるが、野外で使用する場合は２つのサイドパネルの一方の取っ手部を持った状態でタブレットコンピュータを操作しなければならず、該取っ手部を持った手にタブレットコンピュータの自重が掛かる状態になり、使用者の持ち手の疲労負担を招くものであった。【００１０】  また、基板及び懸吊ベルトから構成され、タブレットコンピュータ又はノートブックコンピュータを載置する基板の内側に支持延伸板を回動展開可能に配置する。さらに、支持延伸板を展開した状態で、懸吊ベルトを肩に掛け、支持延伸板端縁を腹部に当てて基板１を傾斜して位置決めすることにより、基板上に載置したタブレットコンピュータ又はノートブックコンピュータを両手により操作を行うことができることを特徴とする「タブレットコンピュータ又はノートブックコンピュータの操作補助装置」（特許文献４）が提案されている。【００１１】  しかしながら、かかる「タブレットコンピュータ又はノートブックコンピュータの操作補助装置」の提案は、基板及び懸吊ベルトから構成されて室内外での使用を容易なものにしているが、該操作補助装置の形状の大きさ自体が大型で嵩張るものであって操作補助装置を必要としない場合は、その収納手段の困難さと共に、持ち運びに不便さが伴うものであった。【００１２】  以上のように従来のタブレット型コンピュータ用保持具の多くは、使用者の使用状態に対応したタブレット型コンピュータの操作状態が維持されない構造を有するものであった。【００１３】  本出願人は、以上のような従来のタブレット型コンピュータ用保持具の現状を鑑み、タブレット型コンピュータを保持する保持具の形状に着目し、タブレット型コンピュータを室内外を問わずにハンズフリーの状態で容易に操作することができないものかという着想下、タブレット型コンピュータを立て掛けた状態ならびに吊持した状態で容易に操作することができるコンパクトなタブレット型コンピュータ用のデスクスタンドを開発し、本発明における「タブレット型コンピュータ用デスクスタンド」の提案に至るものである。
【先行技術文献】
【特許文献】
【００１４】
【特許文献１】実用新案登録第３１７０２３４号公報
【特許文献２】特開２０１２−１４６６６号公報
【特許文献３】実用新案登録第３１６４２５３号公報
【特許文献４】実用新案登録第３１７１２４１号公報
【発明の概要】
【発明が解決しようとする課題】
【００１５】  本発明は、上記問題点に鑑み、立て掛けた状態ならびに吊持した状態で容易に操作することができるコンパクトなタブレット型コンピュータ用デスクスタンドの提供を図る。
【課題を解決するための手段】
【００１６】  本発明のタブレット型コンピュータ用デスクスタンドは、タブレット型コンピュータの画面側を掛止する掛止ベルトと、Ｘ字状に開脚するスタンドプレートと、スライド機能と片折れ機能と開脚機能を有するスタンド補助プレートと、で構成されるタブレット型コンピュータ用デスクスタンドであって、前記掛止ベルトは、合成樹脂製の平板透明素材で形成され、該両端には平面ファスナーが貼付されて成り、前記スタンドプレートは、枢軸部を介してＸ字状に開脚すると共に、該Ｘ字状に交差する２枚のＸ字状開脚プレートの何れか一方の上端と下端に前記掛止ベルトの平面ファスナーに係止される平面ファスナーを貼付し、前記枢軸部には前記スタンド補助プレートのスライド溝に挿入して係止する軸止部を設けて成り、前記スタンド補助プレートは、中央より上方には前記スタンドプレートの枢軸部がスライド溝に挿入して上下にスライドするスライド機能を設け、下方にはデスクスタンド全体が後方に傾斜する蝶番継ぎ手を有する片折れ機能を設け、下端にはＹ字状開脚プレートが両側に開脚する開脚機能を設け、前記タブレット型コンピュータを立て掛けた状態で使用することができる手段を採る。【００１７】  また、本発明のタブレット型コンピュータ用デスクスタンドは、Ｘ字状に開脚する２枚の前記Ｘ字状開脚プレートの上端部に係止フック部を設け、該係止フック部に首掛け用の吊持ストラップを連結すると共に、Ｘ字状に開脚する２枚の前記Ｘ字状開脚プレートの下端部に係止フック部を設け、該係止フック部に腰廻り用の支持ベルトを連結し、前記タブレット型コンピュータを吊持した状態で操作することができる手段を採る。
【発明の効果】
【００１８】  本発明のタブレット型コンピュータ用デスクスタンドによれば、使用しない時はコンパクトに折り畳まれ、室内での使用時はデスクスタンドとして使用できると共に、野外での使用時は首から吊持して携帯用ストラップデスクとして使用することができる優れた効果を奏する。【００１９】  また、本発明のタブレット型コンピュータ用デスクスタンドによれば、タブレット型コンピュータを首から吊持して持ち歩くことができるため、タブレット型コンピュータの画面を難聴者に対面させることによって音声認識機能を使って通訳者なしで対話することができると共に、海外旅行での通訳機としても利用できる優れた効果を奏する。【００２０】  また、本発明のタブレット型コンピュータ用デスクスタンドによれば、タブレット型コンピュータを首から吊持するため、使用時において保持する持ち手に負担が掛かかることなく長時間持ち歩くことができると共に、携行時の落下防止が図られる優れた効果を奏する。【００２１】  また、本発明のタブレット型コンピュータ用デスクスタンドによれば、２枚のＸ字状開脚プレートに連結される首掛け用の吊持ストラップと、腰廻り用の支持ベルトと、腹部を支えるＹ字状開脚プレートでもってタブレット型コンピュータ用デスクスタンドが安定的に支持されることによって、立った状態や歩行中や車内で利用する場合でも容易にタブレット型コンピュータを操作することができる優れた効果を奏する。【００２２】  また、本発明のタブレット型コンピュータ用デスクスタンドによれば、Ｘ字状開脚プレートにエンボス加工による滑り止め加工が施され、さらにタブレット型コンピュータの画面側を掛止する掛止ベルトによりタブレット型コンピュータが安定的に保持される優れた効果を奏する。【００２３】  また、本発明のタブレット型コンピュータ用デスクスタンドによれば、使用時において両手が自由に使えるフリーハンズ状態で使用することができるため、ビジネス、スポーツ観戦、映画鑑賞、ドライブ、趣味、ファッションなどの分野で巾広く利用することができる優れた効果を奏する。
【図面の簡単な説明】
【００２４】
【図１】本発明の請求項１記載のタブレット型コンピュータ用デスクスタンドの全体を示す分解斜視図を用いた説明図である。（実施例１）
【図２】本発明の請求項１記載のタブレット型コンピュータ用デスクスタンドの使用状態を示す側面図を用いた説明図である。
【図３】本発明の請求項２記載のタブレット型コンピュータ用デスクスタンドの全体を示す分解斜視図を用いた説明図である。（実施例２）
【図４】本発明の請求項２記載のタブレット型コンピュータ用デスクスタンドの使用状態を示す側面図を用いた説明図である。
【発明を実施するための形態】
【００２５】  本発明のタブレット型コンピュータ用デスクスタンド１０は、タブレット型コンピュータ１００の画面側を掛止する掛止ベルト２０と、枢軸部３２を介して２枚のＸ字状開脚プレート３１がＸ字状に開脚するスタンドプレート３０と、さらに枢軸部３２の軸止部３３がスライド溝４５に挿入して上下にスライドするスライド機能４１と、デスクスタンド全体が後方に傾斜する蝶番継ぎ手４４を有する片折れ機能４２と、Ｙ字状開脚プレート４６が両側に開脚する開脚機能４３を有するスタンド補助プレート４０と、で構成される手段を採ったことを最大の特徴とするもので、以下、実施例を図面を基に説明する。
【００２６】  また、本発明のタブレット型コンピュータ用デスクスタンド１０の形状ならびに材質は、下記に述べる実施例に特に限定されるものでなく、本発明の技術的思想に逸脱しない範囲で任意に変更することができる。
【実施例１】
【００２７】  図１は、本発明の請求項１記載のタブレット型コンピュータ用デスクスタンド１０の全体を示す分解斜視図を用いた説明図である。
本発明のタブレット型コンピュータ用デスクスタンド１０は、タブレット型コンピュータ１００の画面側を掛止する掛止ベルト２０と、Ｘ字状に開脚するスタンドプレート３０と、スライド機能４１と片折れ機能４２と開脚機能４３を有するスタンド補助プレート４０と、で構成され、タブレット型コンピュータ１００を立て掛けた状態で使用できるものである。【００２８】  掛止ベルト２０は、合成樹脂製の平板透明素材で形成され、両端には平面ファスナー２１が貼付され、２枚のＸ字状開脚プレート３１の何れか一方の上端と下端に貼付される平面ファスナー３４に係止され、タブレット型コンピュータ１００の画面を対角状に横切って固定するものである。【００２９】  スタンドプレート３０は、枢軸部３２を介してＸ字状に開脚すると共に、該Ｘ字状に交差する２枚のＸ字状開脚プレート３１の何れか一方の上端と下端に掛止ベルト２０の平面ファスナー２１に係止される平面ファスナー３４を貼付し、該枢軸部３２にはスタンド補助プレート４０のスライド溝４５に挿入して係止する軸止部３６を設けて形成される。【００３０】  Ｘ字状開脚プレート３１は、枢軸部３２を介して２枚のプレートをＸ字状に開脚してタブレット型コンピュータ１００を受け止める台の役割を果たすもので、その表面にはエンボス加工が施されて机上に立て掛けられた時のタブレット型コンピュータ１００の滑り防止を図る役割を果たすものである。【００３１】  枢軸部３２は、２枚のＸ字状開脚プレート３１をＸ字状に開脚することができる状態にカシメて形成されるもので、さらにその先端部に軸止機能３３が設けられ、スタンド補助プレート４０のスライド溝４５に挿入されてスライド固定される。【００３２】  軸止部３６は、枢軸部３２の先端部に設けられるねじ部３６ａと係止蝶ナット３６ｂで構成され、２枚のＸ字状開脚プレート３１のＸ字状の開脚を可能とすると共に、スタンド補助プレート４０の上下スライドと係止を可能にするものである。【００３３】  スタンド補助プレート４０は、中央より上方にはスタンドプレート３０の軸止部３６がスライド溝４５に挿入して上下にスライドするスライド機能４１を設け、下方にはデスクスタンド全体が後方に傾斜する平板状の蝶番継ぎ手４４を有する片折れ機能４２を設け、下端にはＹ字状開脚プレート４６が両側に開脚する開脚機能４３を設けて形成される。【００３４】  スライド機能４１は、スタンド補助プレート４０の長さ方向に平行に設けられるスライド溝４５に、２枚のＸ字状開脚プレート３１の軸止部３３が挿入されてタブレット型コンピュータ１００の上下スライドを可能にするものである。【００３５】  片折れ機能４２は、スタンド補助プレート４０の下方に設けられ、平板状の蝶番継ぎ手４４によって、２枚のＸ字状開脚プレート３１を後方に傾斜させてタブレット型コンピュータ１００の設置傾斜角度を調整するものである。【００３６】  開脚機能４３は、スタンド補助プレート４０の下端に設けられ、Ｙ字状開脚プレート４６を両側に回動可能に狭持する構造で形成される。【００３７】  Ｙ字状開脚プレート４６は、両側に開脚することによって、デスクスタンドとして使用される場合はタブレット型コンピュータ用デスクスタンド１０���体を安定的に支持し、首から吊持して携帯用ストラップデスクとして使用する場合は使用者の腹部に当接させてタブレット型コンピュータ１００を安定的に操作することができるようにするものである。【００３８】  図２は、本発明の請求項１記載のタブレット型コンピュータ用デスクスタンド１０の使用状態を示す側面図を用いた説明図である。
タブレット型コンピュータ用デスクスタンド１０のＹ字状開脚プレート４６を両側に開脚してデスクスタンドとして使用するもので、Ｘ字状開脚プレート３１にエンボス加工による滑り止め加工が施されることによって、タブレット型コンピュータ１００の画面側を掛止する掛止ベルト２０によりタブレット型コンピュータ１００がデスクスタンドに安定的に保持されと共に、フリーハンズ状態で使用することができるため、両手を使って手作業を行なったり、タブレット型コンピュータ１００の情報をパソコンなどに入力したり、画面を見ながらクッキング料理したり、映画鑑賞やワンセグ放送を楽しんだりすることができる。
【実施例２】
【００３９】  図３は、本発明の請求項２記載のタブレット型コンピュータ用デスクスタンド１０の全体を示す分解斜視図を用いた説明図である。
本発明のタブレット型コンピュータ用デスクスタンド１０は、Ｘ字状に開脚する２枚のＸ字状開脚プレート３１の上端部に係止フック部３５を設け、該係止フック部３５に首掛け用の吊持ストラップ５０のフック部５０ａを連結すると共に、Ｘ字状に開脚する２枚のＸ字状開脚プレート３１の下端部に係止フック部３５を設け、該係止フック部３５に腰廻り用の支持ベルト５１のフック部５１ａを連結することによって、タブレット型コンピュータ１００を吊持した状態で安定的に支持することができる。【００４０】  係止フック部３５は、Ｘ字状に開脚する２枚のＸ字状開脚プレート３１の上端部と下端部に設けられるリング状の係止部で、上端部の係止フック部３５には吊持ストラップ５０のフック部５０ａが連結され、下端部の係止フック部３５には支持ベルト５１のフック部５１ａが連結される。【００４１】  吊持ストラップ５０は、両端にフック部５０ａが設けられる紐状のストラップで、Ｘ字状に開脚する２枚のＸ字状開脚プレート３１の上端部に設けられる係止フック部３５に連結されて使用される。タブレット型コンピュータ１００が首から吊持されることによってタブレット型コンピュータ１００自体の自重を安定的に吊持することができる。【００４２】  支持ベルト５１は、両端にフック部５１ａが設けられる帯状のベルトで、Ｘ字状に開脚する２枚のＸ字状開脚プレート３１の下端部に設けられる係止フック部３５に連結されて使用される。タブレット型コンピュータ１００を腰廻りのベルトによって支持されることによってタブレット型コンピュータ１００自体を安定的に支持することができる。【００４３】図４は、本発明の請求項２記載のタブレット型コンピュータ用デスクスタンド１０の使用状態を示す側面図を用いた説明図である
２枚のＸ字状開脚プレート３１に連結される首掛け用の吊持ストラップ５０と、腰廻り用の支持ベルト５１と、腹部を支えるＹ字状開脚プレート４６でタブレット型コンピュータ用デスクスタンド１０が安定的に吊持ならびに支持することよって、立った状態や歩行中や車内で利用する場合でもタブレット型コンピュータ１０を容易に操作することができる。
【産業上の利用可能性】
【００４４】  本発明のタブレット型コンピュータ用デスクスタンドは、両手が自由に使えるハンズフリーの状態で使用することができることから、ビジネス、スポーツ観戦、映画鑑賞、ドライブ、趣味、ファッションなどの分野で巾広く利用することができるもので、本発明におけるコンパクトなタブレット型コンピュータ用デスクスタンドの産業上の利用可能性は大とするものと解する。
【符号の説明】
【００４５】１０  タブレット型コンピュータ用デスクスタンド
２０  掛止ベルト
２１  平面ファスナー
３０  スタンドプレート
３１  Ｘ字状開脚プレート
３２  枢軸部
３３  軸止機能
３４  平面ファスナー
３５  係止フック部
３６  軸止部
３６ａねじ部
３６ｂ係止蝶ナット
４０  スタンド補助プレート
４１  スライド機能
４２  片折れ機能
４３  開脚機能
４４  蝶番継ぎ手
４５  スライド溝
４６  Ｙ字状開脚プレート
５０  吊持ストラップ
５０ａフック部
５１  支持ベルト
５１ａフック部
１００タブレット型コンピュータ
【図１】
2014021961.tif 000003
【図２】
2014021961.tif 000004
【図３】
2014021961.tif 000005
【図４】
2014021961.tif 000006